(57)【要約】【課題】カード内に記憶したカード情報が表示できる液晶表示部を設けると共に、液晶表示部の有効利用を図るようにした非接触ＩＣカードを提供する。【解決手段】無線で送受信した情報の読出し／書込み処理を行うカード情報処理機能に加えて電卓機能を非接触ＩＣカード１に付加すると共に、非接触ＩＣカード１の表面に、液晶表示部２、太陽電池３及び電卓用キー操作部４を設け、液晶表示部２を、電卓用表示部として使用する電卓モード又はカード情報を表示するカード情報表示部として使用するカード情報表示モードに切換え可能な構成とした。【選択図】　図１
2004102546.tif 000002
【特許請求の範囲】
【請求項１】
無線により情報を送受信し、メモリに対して送受信情報の読出し／書込み処理を行うカード情報処理機能を有する非接触ＩＣカードにおいて、
液晶表示部を設けると共に、電卓機能を付加し、前記液晶表示部を電卓用表示部として使用する電卓モードと前記メモリ内の記憶情報を表示するカード情報表示部として使用するカード情報表示モードとを選択的に切換え可能な構成としたことを特徴とする非接触ＩＣカード。
【請求項２】
前記電卓モードとカード情報表示モードの切換えは、前記カード情報処理機能による情報の送受信動作が行われたときに通常設定の電卓モードからカード情報表示モードへ所定時間自動切換えする構成である請求項１に記載の非接触ＩＣカード。
【請求項３】
前記電卓モードとカード情報表示モードの切換えは、手動で行う構成である請求項１に記載の非接触ＩＣカード。
【請求項４】
電卓モード選択時に、前記カード情報処理機能による情報の送受信動作が行われたときにカード情報表示モードへ自動切換えする構成である請求項３に記載の非接触ＩＣカード。
【請求項５】
手動によるモードの切換えは、電卓用キー操作部を予め定めた特定の操作手順で操作して行う構成である請求項３又は４に記載の非接触ＩＣカード。
【請求項６】
手動によるモードの切換えは、モード切換え専用操作部を設け、該モード切換え専用操作部を操作して行う構成である請求項３又は４に記載の非接触ＩＣカード。
【請求項７】
請求項２に記載の自動切換えモードと請求項３に記載の手動切換えモードを有し、前記自動切換えモードと手動切換えモードとを選択するための切換えモード選択操作部を備える構成である請求項１に記載の非接触ＩＣカード。
【請求項８】
カード基板と、該カード基板上に積層され情報送受信用アンテナ及びＩＣを備えた回路層と、該回路層上に積層され少なくとも前記液晶表示部及び電卓用キー操作部を備えたカード表面層とを備える構成である請求項１〜７のいずれか１つに記載の非接触ＩＣカード。
【請求項９】
前記液晶表示部を設けるカード表面と反対側のカード表面に、書換え可能な印刷層を備える構成である請求項１〜８のいずれか１つに記載の非接触ＩＣカード。
【請求項１０】
複数種の情報を予め記憶させたデータベース側と無線交信して、前記複数種の情報の中から使用者が所望する情報をデータベース側から選択受信して表示する情報受信媒体機能を付加した請求項１〜９のいずれか１つに記載の非接触ＩＣカード。
【請求項１１】
前記情報受信媒体として動作するデータ受信モードを選択するためのデータ受信モード選択部を設け、該データ受信モード選択部でデータ受信モードを選択して使用者の所望情報をデータベース側から選択受信して表示とする構成である請求項１０に記載の非接触ＩＣカード。
【請求項１２】
前記データ受信モード選択部でデータ受信モードを選択したときに、カード側に予め記憶させた前記複数種の情報の選択メニューをカード側で表示し、表示された選択メニューに基づいて電卓用キー操作部で情報の選択操作をしたときに、当該選択情報の送信指令をデータベース側に送信し、データベース側から送信された前記選択情報を受信して表示する請求項１１に記載の非接触ＩＣカード。
【請求項１３】
前記データ受信モード選択部でデータ受信モードを選択したときに、カード側に予め記憶させた前記複数種の情報の選択メニューをデータベース側に送信してデータベース側で表示させ、表示された選択メニューに基づいて電卓用キー操作部で情報の選択操作をしたときに選択情報の送信指令をデータベース側に送信し、データベース側から送信された前記選択情報を受信して表示する請求項１１に記載の非接触ＩＣカード。
【請求項１４】
前記データ受信モード選択部でデータ受信モードを選択したときに、データベース側に選択メニューの表示指令を送信し、データベース側で表示された選択メニューに基づいて電卓用キー操作部で情報の選択操作をしたときに選択情報の送信指令をデータベース側に送信し、データベース側から送信された前記選択情報を受信して表示する請求項１１に記載の非接触ＩＣカード。
【請求項１５】
カードに格納するＩＣをワンチップで構成した請求項１〜１４のいずれか１つに記載の非接触ＩＣカード。
【請求項１６】
カード駆動電源として太陽電池を備えた請求項１〜１５のいずれか１つに記載の非接触ＩＣカード。
【発明の詳細な説明】
【０００１】
【発明の属する技術分野】
本発明は、非接触ＩＣカードに関し、特に、非接触ＩＣカードの付加価値を高める技術に関する。
【０００２】
【従来の技術】
無線により非接触で情報を送受信できる非接触ＩＣカードがある（例えば、特許文献１参照）。このものは、データの更新回数が略無制限であるので、有効期間等のデータを更新することにより１枚のカードを長期間繰り返し使用することが可能である。このため、近年では鉄道交通の定期券に利用され普及している。この場合、所定の金額を入金（チャージ）しておくことで定期券として使用できると共にイオカードのようなストアードフェアカード（以下、ＳＦカードとする）としての使用できるようになっている。
【０００３】
また、非接触式ではないが、カードに記憶されたデータを表示できる液晶表示部を備えた接触式ＩＣカードがある（例えば、特許文献２参照）。
【０００４】
【特許文献１】
特開平８−３１５０９８号公報
【特許文献２】
特開昭６１−６０１９１号公報
【０００５】
【発明が解決しようとする課題】
ところで、従来の上述のような鉄道交通の定期券として使用される現状の非接触ＩＣカードは、カードに記憶されている情報を表示する機能がないため、ＳＦカードとして利用する際に例えば残金を確認したいときでも確認できない。現状では、残金を確認するには、非接触ＩＣカードの処理機能を備えた券売機等が設置されている場所まで行かなければならず不便である。このため、上述の特開昭６１−６０１９１号公報で提案されているように液晶表示部をカード表面に設け、カードの記憶情報を読出して表示可能にして、必要な時に記憶情報を使用者が確認できるような非接触ＩＣカードが考えられるが、液晶表示部を単にカードの記憶情報の表示だけでなく、他の用途にも使用すれば非接触ＩＣカードの付加価値を高めることができる。
【０００６】
本発明は上記問題点に着目してなされたもので、カード表面に液晶表示部を設けてカードの記憶情報を確認できるようにすると共に、液晶表示部を他の用途にも使用して有効利用することにより非接触ＩＣカードの付加価値を高めるようにした非接触ＩＣカードを提供することを目的とする。
【０００７】
【課題を解決するための手段】
このため、請求項１の発明では、無線により情報を送受信し、メモリに対して送受信情報の読出し／書込み処理を行うカード情報処理機能を有する非接触ＩＣカードにおいて、液晶表示部を設けると共に、電卓機能を付加し、前記液晶表示部を電卓用表示部として使用する電卓モードと前記メモリ内の記憶情報を表示するカード情報表示部として使用するカード情報表示モードとに選択的に切換え可能な構成とした。
【０００８】
かかる構成では、カード情報表示モードに切換えると、カード情報処理機能によりメモリに記憶された情報を液晶表示部に表示できるようになる。電卓モードに切換えると、電卓機能の動作に従って液晶表示部が電卓表示部となり数字データを表示するようになる。
前記電卓モードとカード情報表示モードの切換えは、請求項２のように、前記カード情報処理機能による情報の送受信動作が行われたときに通常設定の電卓モードからカード情報表示モードへ所定時間自動切換えする構成とするとよい。
【０００９】
かかる構成では、カードの記憶情報が更新される度に自動的にカードの最新の記憶情報が所定時間の間、表示されるようになる。
また、前記電卓モードとカード情報表示モードの切換えは、請求項３のように、手動で行う構成としてもよい。
かかる構成では、モードの切換えを使用者が適宜手動で行えるようになる。
【００１０】
請求項３の手動切換えの場合に、請求項４のように、電卓モード選択時に、前記カード情報処理機能による情報の送受信動作が行われたときにカード情報表示モードへ自動切換えする構成とするとよい。
手動によるモードの切換えは、請求項５のように、電卓用キー操作部を予め定めた特定の操作手順で操作して行う構成としてもよく、また、請求項６のように、モード切換え専用操作部を設け、該モード切換え専用操作部を操作して行う構成としてもよい。
【００１１】
請求項７の発明は、請求項２に記載の自動切換えモードと請求項３に記載の手動切換えモードを有し、前記自動切換えモードと手動切換えモードとを選択するための切換えモード選択操作部を備える構成である。
かかる構成では、電卓モードとカード情報表示モードの切換えを自動的に行う自動切換えモードに設定するか、使用者が手動で行う手動切換えモードに設定するかを、切換えモード選択操作部によって使用者が選択できるようになる。
【００１２】
具体的なカード構造は、例えば請求項８のように、カード基板と、該カード基板上に積層され情報送受信用アンテナ及びＩＣを備えた回路層と、該回路層上に積層され少なくとも前記液晶表示部及び電卓用キー操作部を備えたカード表面層とを備える構成とするとよい。
請求項９のように、前記液晶表示部を設けるカード表面と反対側のカード表面に、書換え可能な印刷層を備える構成とするとよい。
【００１３】
かかる構成では、印刷層に印刷する情報の書換えが可能であるので、例えば定期券等として１枚の非接触ＩＣカードを繰返し使用できるようになる。
また、請求項１０の発明では、複数種の情報を予め記憶させたデータベース側と無線交信して、前記複数種の情報の中から使用者が所望する情報をデータベース側から選択受信して表示する情報受信媒体機能を付加する構成とした。
【００１４】
かかる構成では、情報受信媒体機能により使用者が所望する情報を受信し表示することが可能となり、非接触ＩＣカードの汎用性をより一層高めることができるようになる。
具体的には、請求項１１のように、前記情報受信媒体として動作するデータ受信モードを選択するためのデータ受信モード選択部を設け、該データ受信モード選択部でデータ受信モードを選択して使用者の所望情報をデータベース側から選択受信して表示する構成とするとよい。
【００１５】
この場合、請求項１２のように、前記データ受信モード選択部でデータ受信モードを選択したときに、カード側に予め記憶させた前記複数種の情報の選択メニューをカード側で表示し、表示された選択メニューに基づいて電卓用キー操作部で情報の選択操作をしたときに、当該選択情報の送信指令をデータベース側に送信し、データベース側から送信された前記選択情報を受信して表示する構成とするとよい。
【００１６】
また、請求項１３のように、前記データ受信モード選択部でデータ受信モードを選択したときに、カード側に予め記憶させた前記複数種の情報の選択メニューをデータベース側に送信してデータベース側で表示させ、表示された選択メニューに基づいて電卓用キー操作部で情報の選択操作をしたときに選択情報の送信指令をデータベース側に送信し、データベース側から送信された前記選択情報を受信して表示する構成としてもよい。
【００１７】
また、請求項１４のように、前記データ受信モード選択部でデータ受信モードを選択したときに、データベース側に選択メニューの表示指令を送信し、データベース側で表示された選択メニューに基づいて電卓用キー操作部で情報の選択操作をしたときに選択情報の送信指令をデータベース側に送信し、データベース側から送信された前記選択情報を受信して表示する構成としてもよい。
【００１８】
請求項１５のように、カードに格納するＩＣをワンチップで構成するとよい。請求項１６のように、カード駆動電源として太陽電池を備える構成とすれば、電源切れの心配がなくなる。
【００１９】
【発明の実施の形態】
以下、本発明の実施形態を図面に基づいて説明する。
図１〜図４に基づいて本発明にかかる非接触ＩＣカードの第１実施形態を定期券に適用した場合について説明する。
第１実施形態は、液晶表示部を、電卓表示部として使用する電卓モードとカード情報表示部として使用するカード情報表示モードの切換えを自動で行う構成である。
【００２０】
図１及び図２は、本実施形態の非接触ＩＣカードの外観図を示す。
本実施形態の非接触ＩＣカード１の表面（又は裏面）には、図１に示すように、液晶表示部２、太陽電池３及び電卓ユニットのキー操作部４が設けられている。一方、裏面（又は表面）には、周知の定期券と同様に有効乗車区間、有効期限等の所定事項が印字されている。
【００２１】
また、本実施形態の非接触ＩＣカード１の断面構造は、図３に示すように、例えばポリエチレンテレフタレート樹脂（ＰＥＴ）等のプラスチックからなるカード基板５の一側に後述のアンテナ１１及びＩＣチップ等を設けた回路層６と、前記液晶表示部２、太陽電池３及びキー操作部４を設けた表面層７を積層し、カード基板５の他側に前記所定事項を印字する例えばロイコ染料等を用いた書換え可能な印刷層８を積層した構造である。
【００２２】
図４に本実施形態の非接触ＩＣカード１の構成を示すブロック図を示す。
図４において、本実施形態の非接触ＩＣカード１内の回路部１０は、無線により非接触で情報を送受信してメモリに対して送受信情報の読出し／書込みを行うカード情報処理機能のためのアンテナ１１、通信部１２及びカード情報処理部１３と、電卓機能のためのキー入力制御部１４及び計算処理部１５と、電卓モードとカード情報表示モードの切換えを制御するモード制御部１６と、表示モード切換え部１７と、表示ドライバ１８と、前述の液晶表示部２とを備えて構成される。
【００２３】
前記アンテナ１１は、図示しない外部装置との間で情報を送受信する。前記通信部１２は、アンテナ１１で受信した情報をカード情報処理部１３へ入力しカード情報処理部１３から出力された記憶情報を送信信号としてアンテナ１１に出力すると共に、モード制御部１６に送受信動作中であることを通知する。前記カード情報処理部１３は、通信部１２から入力した外部情報に基づいてメモリの記憶情報の書換え（更新）やメモリ内の記憶情報の読出し等、カード情報の処理動作を行うと共に、カード情報表示モード時には更新情報を表示モード切換え部１７に出力する。前記キー入力制御部１４は、キー操作部４のキー操作に基づく入力情報を計算処理部１５に出力する。前記計算処理部１５は、キー入力制御部１４から入力するキー操作情報により電卓としての計算処理動作を行うと共に電卓モード設定状態では計算処理動作による処理情報を表示モード切換え部１７に出力する。モード制御部１６は、通信部１２で送受信動作が行われたときに電卓モードからカード情報表示モードへの切換えをカード情報処理部１３及び計算処理部１５に通知し、この切換え後所定時間経過すると通常設定の電卓モードへの復帰をカード情報処理部１３及び計算処理部１５に通知する。表示モード切換え部１７は、モード制御部１６で指定されたモードに応じてカード情報処理部１３又は計算処理部１５の情報を表示ドライバ１８に出力する。表示ドライバ１８は、設定された表示モードに応じて入力した情報を表示すべく液晶表示部２を駆動する。そして、回路部１０のこれら回路部品は主として太陽電池３から供給される電力を例えば蓄電して駆動電源として動作する。ここで、液晶表示部２及び表示ドライバ１８は、電卓機能とカード情報処理機能で共用され、電卓機能の一部を構成すると共にカード情報処理機能の一部を構成する。尚、カード駆動電源として、通常の電池を内蔵してもよく、通常の電池と太陽電池を併用できる構成としてもよい。
【００２４】
次に、第１実施形態の電卓モードとカード情報表示モードの切換え制御動作を図５のフローチャートに従って説明する。
本実施形態では、液晶表示部２を電卓用表示部として使用する電卓モードを標準モードとし、通常時はこの標準モードに設定される。
ステップ１（図中、Ｓ１で示す。以下同様とする）では、通信部１２からの情報に基づいてモード制御部１６が外部と交信しているか否かを判定し、外部と交信していない場合はモード切換えせずに標準モードの電卓モードのままとする。一方、モード制御部１６に通信部１２から動作中を示す信号が入力すると外部と交信ありと判断し、ステップ２に進み電卓モードからカード情報表示モードへの切換え制御を実行する。これにより、モード制御部１６は電卓モードからカード情報表示モードに切換え制御したことをカード情報処理部１３と計算処理部１３に通知し、カード情報処理部１３は外部との交信により更新されたカード情報を表示モード切換え部１７に出力する。また、計算処理部１５ではキー操作部４のキー操作に基づく計算処理動作が禁止される。
【００２５】
ステップ３では、表示モード切換え部１７を介してカード情報処理部１３からのカード情報を表示ドライバ１８に出力し、表示ドライバ１８は液晶表示部２を駆動して更新されたカード情報を液晶表示部２に表示する。
ステップ４では、カード情報表示モードに切換わってから所定時間経過したか否かを判定し、所定時間経過すればステップ５に進みカード情報表示モードから標準の電卓モードに自動的に復帰する。そして、電卓モードへ復帰したことをカード情報処理部１３及び計算処理部１５に通知し、計算処理部１５における計算処理動作の禁止が解除されて非接触ＩＣカード１を電卓として使用することが可能となる。また、表示モード切換え部１７を介して表示ドライバ１８の駆動を停止して液晶表示部２の表示を消す。
【００２６】
かかる構成によれば、自動改札機の通過時にカード１内にチャージされている金額等が変更された場合、自動的に液晶表示部２に更新された残金情報等が表示されるので、使用者は液晶表示部２で残金を確認することができる。また、電卓機能を付加したことにより、通常時は液晶表示部２を電卓用表示部として使用できるので、単にカード情報を表示するだけのために液晶表示部２を設ける場合に比べて液晶表示部２を有効に活用でき、非接触ＩＣカード１の付加価値が高まるという効果がある。
【００２７】
次に、本発明の第２実施形態について説明する。
第２実施形態は、電卓モードとカード情報表示モードの切換えを手動で行う構成である。
図６に、第２実施形態の構成を示すブロック図を示す。尚、カード外観及び断面構造は図１〜図３の第１実施形態と同じであるので説明を省略する。
【００２８】
図６において、本実施形態では、キー入力制御部１４の信号をモード制御部１６へ入力してキー操作部４の操作に基づいて手動で行う構成である。その他の構成は第１実施形態と同様であり説明を省略する。
図７のフローチャートに従って第２実施形態の電卓モードとカード情報表示モードの切換え制御動作を説明する。
【００２９】
ステップ１１で、キー操作部４のキー操作に基づくキー入力制御部１４からの信号によりモード切換え操作があったか否かを判定する。即ち、本実施形態では、電卓モードを設定する場合とカード情報表示モードを設定する場合におけるキー操作部４の特定の操作手順をそれぞれ予め設定しておく。例えば「％」キーと「＋」キーを連続操作したときに電卓モードが設定され、「＊」キーと「／」キーを連続操作したときにカード情報表示モードが設定される等のように特定の操作手順を予め設定しておく。従って、ステップ１１では、キー操作部４で「％」キーと「＋」キーの連続操作が行われたと判断すれば電卓モード設定と判断し、キー操作部４で「＊」キーと「／」キーの連続操作が行われたと判断すればカード情報表示モード設定と判断し、ステップ１２で、指定されたモードへの切換えを実行する。そして、本実施形態では、電卓モードに設定されている場合、例えば自動改札機の通過時にカード情報が更新されてもカード情報処理部１３は電卓モード設定と認識して更新情報を表示モード切換え部１７に出力せず表示ドライバ１８も電卓モードの設定のままであり液晶表示部２にカード情報は表示されない。カード情報を確認したいときは、カード情報表示モードに設定し、キー操作部４で所定の操作をすることによりそのときの記憶情報の中から所望のカード情報が液晶表示部２に表示される。
【００３０】
かかる構成によれば、使用者の確認したいときにカード情報の確認が可能となる。本実施形態のようにモード切換えを手動で行う構成では、現在の設定モードを液晶表示部２に常時表示して使用者が現在の設定が電卓モードかカード情報表示モードかを確認できるようにすることが望ましい。
次に、本発明の第３実施形態について説明する。
【００３１】
第３実施形態は、第１実施形態の自動切換えモードと第２実施形態の手動切換えモードを組み合わせ、電卓モードとカード情報表示モードを手動で切換え可能とすると共に外部との交信でカード情報の書換えが実行されると自動的に表示モードをカード情報表示モードに切換えて所定時間更新情報を表示する構成である。
【００３２】
図８に、第３実施形態の構成を示すブロック図を示す。尚、カード外観及び断面構造は図１〜図３の第１実施形態と同じであるので説明を省略する。また、第１及び第２実施形態と同一要素には同一符号を付してある。
図８において、本実施形態では、キー入力制御部１４からの信号と通信部１２からの信号をそれぞれモード制御部１６に入力し、表示モードの切換え制御を、キー操作部４の操作信号に基づいて手動によるモード切換えを可能にすると共に、電卓モード設定時に通信部１２から通信動作中を示す信号が入力したときには自動的にモード切換えを行う構成である。
【００３３】
図９のフローチャートに従って第３実施形態の電卓モードとカード情報表示モードの切換え制御動作を説明する。
ステップ２１と２２の動作は図７のステップ１１と１２と同様である。
ステップ２１で、ＹＥＳと判定されればステップ２２に進み、ＮＯと判定されたときはステップ２３に進む。
【００３４】
ステップ２３では、図５のステップ１と同様で、通信部１２からの信号に基づいて外部と交信しているか否かを判定する。ＹＥＳと判定された場合はステップ２４に進み、ＮＯと判定された場合はステップ２１に戻る。
ステップ２４では、現在の設定モードがどちらかを判定する。現在のモードが電卓モードである場合は、ステップ２５に進む。
【００３５】
ステップ２５に進んだ場合は、図５のステップ２〜５までの動作と同様にしてステップ２５でカード情報表示モードへの切換えを実行し、ステップ２６で外部との交信で更新されたカード情報を液晶表示部２に表示し、ステップ２７で所定時間経過したか否かを判定し、所定時間の経過によりステップ２８に進み電卓モードに復帰する。
【００３６】
一方、ステップ２４で現在モードがカード情報表示モードと判定された場合は、表示モードの切換えを行わずステップ２９で所定時間だけ更新情報を表示する。
かかる第３実施形態によれば、設定が電卓モードであってもカード情報の更新があれば自動的に更新カード情報が表示される。従って、カード情報が更新され更新情報を確認したいときにカード情報表示モードに切換え操作しなくとも確認ができる。上記実施形態では、外部との交信に基づいて電卓モードからカード情報表示モードに切換えた後、所定時間後に電卓モードに復帰する構成としたが、カード情報表示モードのままにしてもよい。
【００３７】
尚、第３実施形態の場合も、現在の設定モードを液晶表示部２に常時表示することが望ましい。
第２実施形態と第３実施形態では、自動切換えモードと手動切換えモードの切換え操作をキー操作部４の特定の操作手順で行う構成としたが、図１の破線で示すように、モード切換え専用操作部として表示モード切換えキー２１を設ける構成としてもよい。例えば表示モード切換えキー２１を操作する毎に、カード情報表示モードの時は電卓モードへ電卓モードの時はカード情報表示モードへと表示モードが切換わる構成とすれば、ワンタッチで自動切換えモードと手動切換えモードの切換えが行え、モード切換え操作が簡単になる。
【００３８】
次に、本発明の第４実施形態について説明する。
第４実施形態は、電卓モードとカード情報表示モードが自動的に切換わる自動切換えモードと手動で切換える手動切換えモードを使用者が選択できる構成である。
図１０に、第４実施形態の構成を示すブロック図を示す。尚、カード外観及び断面構造は図１〜図３の第１実施形態と同じであるので説明を省略する。
【００３９】
図１０において、本実施形態では、切換えモードを自動切換えモードに設定するか手動切換えモードに設定するかを選択する切換えモード選択操作部として切換えモード選択スイッチ２２を、非接触ＩＣカード１の外面の適所に設ける構成とする。そして、切換えモード選択スイッチ２２の信号をモード制御部１６に入力する。
【００４０】
図１１のフローチャートに従って第４実施形態の動作を説明する。
ステップ３１で、切換えモード選択スイッチ２２の選択位置が自動切換えモードか手動切換えモードかを判定する。自動切換えモードが選択されていればステップ３２に進み、図５のフローチャートで説明した電卓モードとカード情報表示モードの切換えを自動で行う自動切換えモードで表示モードの切換え制御が行われる。一方、手動切換えモードが選択されていればステップ３３に進み、図７或いは図９のフローチャートで説明した電卓モードとカード情報表示モードの切換えを手動で行う手動切換えモードで表示モードの切換え制御が行われる。
【００４１】
次に、本発明の第５実施形態について説明する。
第５実施形態は、利用者の所望する情報を受信可能な情報受信媒体機能を更に付加した構成である。尚、この場合、データベースのネットワークを構築し、複数種の情報を予め記憶させたデータベースと多数のデータベース端末をネットワークで結び多数のデータベース端末を適所に設置し、利用者が任意のデータベース端末の設置場所から所望の情報を受信できるようにする。
【００４２】
図１２に、第５実施形態の構成を示すブロック図を示す。
図１２において、本実施形態は、図６に示す第２実施形態の構成に情報受信媒体機能を付加したもので、第２実施形態の構成にデータ受信処理部１９を追加すると共に、キー操作部４に、図１に点線で示すように情報受信媒体として使用するためのデータ受信モードを選択するデータ受信キー２３を設ける構成である。
【００４３】
前記データ受信処理部１９は、データ受信キー２３の操作でデータ受信モードが選択されモード制御部１６からデータ受信モードが選択されたことが通知されると、キー操作部４の操作に従って動作し、情報選択用メニューの表示や適所に設置されたデータベース端末（図示せず）との交信で得た選択受信情報の表示等の情報受信処理動作を実行する。
【００４４】
次に図１３〜１５のフローチャートに従って情報受信媒体として使用した場合のデータ受信処理部１９の動作について説明する。尚、情報受信媒体として使用する場合、非接触ＩＣカード１をデータベース端末に近接させて交信する。
図１３は、受信可能な情報を選択するためのメニューを非接触ＩＣカード１側で記憶し表示する場合の例である。
【００４５】
ステップ４１で、データ受信キー２３が操作されたか否かを判定し、操作ありと判定すると、ステップ４２で、メモリに予め記憶されている受信可能な情報の選択メニューを液晶表示部２に表示する。ステップ４３で、キー入力制御部１４からの信号に基づいて使用者がメニューを選択したか否かを判定する。使用者によるメニューの選択操作は、例えば受信可能な情報を番号で示した選択メニューを表示し使用者が所望の番号を数字キーで指定するようにすればよい。選択したと判定した場合は、ステップ４４でデータベース端末に対して使用者の選択した情報の送信指令を通信部１２及びアンテナ１１を介して出力し、ステップ４５でデータベース端末から送信される選択情報を受信し、ステップ４６で受信情報を液晶表示部２に表示する。
【００４６】
図１４は、情報の選択メニューを非接触ＩＣカード１側で記憶し、選択メニューの表示はデータベース端末で行う場合の例である。
ステップ５１で、データ受信キー２３が操作されたか否かを判定し、操作ありと判定すると、ステップ５２で選択メニューデータをデータベース端末側に送信する。これにより、データベース端末側で選択メニューが表示される。ステップ５３では、データベース端末に表示された選択メニューから使用者が所望の情報に対応する番号をキー操作部４で選択し、その選択番号情報をデータベース端末側に送信する。その後は、図１３のステップ４５，４６と同様にして、ステップ５４でデータベース端末から送信される選択情報を受信し、ステップ５５で受信情報を液晶表示部２に表示する。
【００４７】
図１５は、データベース端末側に選択メニューを記憶させ、非接触ＩＣカード１はデータベース端末側に指令を送信するだけの場合の例である。
ステップ６１で、データ受信キー２３が操作されたか否かを判定し、操作ありと判定すると、ステップ６２で選択メニューの表示指令をデータベース端末側に送信する。これにより、データベース端末側で選択メニューが表示される。ステップ６３〜６５では、図１４のステップ５３〜５５と同様にして、ステップ６３で表示された選択メニューから選択した番号情報をデータベース端末側に送信し、ステップ６４でデータベース端末から送信される選択情報を受信し、ステップ６５で受信情報を液晶表示部２に表示する。
【００４８】
このように、図１２の第５実施形態のように情報受信媒体の機能を付加することにより、カード情報表示用に設ける液晶表示部２を更に有効利用でき、非接触ＩＣカード１の汎用性をより一層高めることができる。
尚、第５実施形態は、図６の第２実施形態に情報受信媒体機能を付加する構成としたが、図４、図８及び図１０に示す第１、３，４実施形態の構成に情報受信媒体機能を付加する構成としてもよいことは言うまでもない。
【００４９】
次に、上述した各実施形態の非接触ＩＣカードに格納するＩＣをワンチップ化した場合のＩＣチップの具体的な回路構成例を図１６に示す。尚、上述の各実施形態と同一要素には同一符号を付して説明を省略する。
図１６において、非接触ＩＣカード１に格納するＩＣチップ３０は、前述の通信部１２の機能を備えアンテナ１１で受信した電磁波信号からキャリア信号と情報を抽出する通信処理部３１と、該通信処理部３１で抽出されたキャリア信号エネルギを蓄積し昇圧して直流電圧を生成するチャージポンプ３２と、各ダイオードを介して供給されるチャージポンプ３２と太陽電池３の直流電圧に基づいてＩＣチップ３０の各回路の動作電源として定電圧を生成するＤＣ−ＤＣコンバータからなる電源部３３と、電源部３３の出力電圧状態を監視する電源監視回路３４と、基準クロック信号を発生するクロック発生回路３５と、表示情報を一時的に格納するためのＲＡＭ３６と、後述のＣＰＵ４１の動作プログラムをプログラムメモリ３９内に外部からロードし動作プログラムによるＣＰＵ４１の動作を開始させるための初期動作用プログラムが予め記憶されたブートプログラムメモリ３７と、不揮発性メモリからなり前記動作プログラムが記憶されるプログラムメモリ３８と、同じく不揮発性メモリからなりカードの使用目的に応じた可変カード情報を記憶するカードデータ用メモリ３９と、表示ドライバ１８と、キー入力制御部１４と、クロック発生回路３５の基準クロック信号に基づきプログラムメモリ３８内の動作プログラムに従って前述の通信処理部３１、電源監視回路３４、各メモリ３６〜３９、表示ドライバ１８及びキー入力制御部１４との間でデータバス４０を介して相互に信号の送受信を行いＩＣチップ３０の動作を制御するＣＰＵ４１とを備える。
【００５０】
かかる回路構成において、ＣＰＵ４１は、アンテナ１１を介して入力する外部情報、キー操作部４の操作に基づくキー入力制御部１４からの情報等により、上述のような液晶表示部２の表示モードの切換え、データメモリ３９に対するカード情報の読出し／書込み、情報の表示動作、電卓モード選択時の計算処理動作等を制御する。従って、ＣＰＵ４１と各種メモリ３６〜３９で、前述のカード情報処理部１３及び計算処理部１４が構成され、カード情報処理機能と電卓機能が実行される。また、ＣＰＵ４１は、モード制御部１６及び表示モード切換え部１７の機能を有する。また、図１２に示す第５実施形態のように、情報受信媒体としての機能を付加した場合は、ＣＰＵ４１は、データ受信処理部１９の機能も備えることになる。尚、図１６の回路構成では、非接触ＩＣカード１の制御機能及び動作を決定する動作プログラムのロード又は変更が、ブートプログラムメモリ３７内の初期動作プログラムに従ってアンテナ１１を介した外部との交信により行われる。
【００５１】
本実施形態では、アンテナ１１を介して外部から電磁波信号を受信した場合にはその電磁波のキャリア信号エネルギをカード１の動作電力として利用し、太陽電池３が受光エネルギを発生可能な状態では太陽電池の発生エネルギをカード１の動作電力として利用する構成である。
尚、以上で述べた各実施形態では、液晶表示部２及びキー操作部４を設けるカード面と反対側のカード面に書換え可能な印刷層８を設ける構成としたが、書換え可能な印刷層８に代えてシール状の印刷層等を設けてもよく、また、必ずしも印刷層を設ける必要はない。更に、印刷層の代わりに例えばフィルム状の液晶表示部等を設けてもよく、この液晶表示部に例えば必要な情報を常時表示させる等してもよい。特に、情報受信媒体としての機能を付加する場合には、印刷層の代わりに液晶表示部等を設ければ、カードの略全面を表示部として使用でき一度に表示できる情報量が多くなり便利である。この場合、具体的回路構成としては、図１６の回路に、表示ドライバ及び液晶表示部を別途付加してデータバス４０に接続するような構成となる。また、本発明の非接触ＩＣカードは定期券以外のその他の個人用カード類に適用できることは言うまでもない。
【００５２】
【発明の効果】
以上説明したように本発明によれば、カード外面に液晶表示部を設けカード内の記憶情報を表示できるので、例えば定期券等に適用した場合に現在チャージされている残金情報等を利用者の確認したいときに確認できるようになる。また、電卓機能を付加し、液晶表示部を電卓用表示部とカード情報表示部とに切換え使用可能とすることで、液晶表示部を電卓用表示部としても使用することで有効利用でき、非接触ＩＣカードの汎用性を高め付加価値を高めることができる。
【００５３】
所望の情報を受信し表示できる情報受信媒体としての機能を設けることにより、液晶表示部をより有効に使用でき、非接触ＩＣカードの汎用性をより一層高めることができる。
また、カードの駆動電源として太陽電池を利用すれば、電源切れ等の心配がない。
【図面の簡単な説明】
【図１】本発明に係る第１実施形態のカード正面図
【図２】図１の背面図
【図３】同上実施形態の非接触ＩＣカードの断面図
【図４】同上実施形態の構成を示すブロック図
【図５】同上実施形態のモード切換え動作を説明するフローチャート
【図６】第２実施形態の構成を示すブロック図
【図７】同上実施形態のモード切換え動作を説明するフローチャート
【図８】第３実施形態の構成を示すブロック図
【図９】同上実施形態のモード切換え動作を説明するフローチャート
【図１０】第４実施形態の構成を示すブロック図
【図１１】同上実施形態のモード切換え動作を説明するフローチャート
【図１２】第５実施形態の構成を示すブロック図
【図１３】同上実施形態の情報受信動作の一例を説明するフローチャート
【図１４】同上実施形態の情報受信動作の別の例を説明するフローチャート
【図１５】同上実施形態の情報受信動作の更に別の例を説明するフローチャート
【図１６】本発明に係る非接触ＩＣカードのワンチップ化した場合のＩＣチップの具体的な回路図
【符号の説明】
１　　非接触ＩＣカード
２　　液晶表示部
３　　太陽電池
４　　キー操作部
１１　　アンテナ
１３　　カード情報処理部
１５　　計算処理部
１６　　モード制御部
１７　　表示モード切換え部
１９　　データ受信処理部
２１　　表示モード切換えキー
２２　　切換えモード選択スイッチ
２３　　データ受信キー
３９　　データメモリ
４１　　ＣＰＵ
【図１】
2004102546.tif 000003
【図２】
2004102546.tif 000004
【図３】
2004102546.tif 000005
【図４】
2004102546.tif 000006
【図５】
2004102546.tif 000007
【図６】
2004102546.tif 000008
【図７】
2004102546.tif 000009
【図８】
2004102546.tif 000010
【図９】
2004102546.tif 000011
【図１０】
2004102546.tif 000012
【図１１】
2004102546.tif 000013
【図１２】
2004102546.tif 000014
【図１３】
2004102546.tif 000015
【図１４】
2004102546.tif 000016
【図１５】
2004102546.tif 000017
【図１６】
2004102546.tif 000018